(57)【要約】【目的】  超音波送信器を備えたペンと超音波受信装置との間で、超音波信号によって筆跡データの送受信を行う際に、超音波受信装置と前記ペンとの間に、超音波を遮るような障害物が介在しないようにする。【構成】  筆記可能な用紙と筆記可能で超音波発信器を備えたペンと、該ペンにより筆記された位置座標データを、前記ペンから発せられる超音波を使用して記憶装置を設けた受信装置に一時的に格納する入力装置であって、前記受信装置を画板上に配置し、この画板を保護カバーから着脱可能とした手書き筆跡入力装置。【選択図】  図１
2005215806.tif 000002
【特許請求の範囲】
【請求項１】
保護カバーと、ノート用紙と超音波発信器を備えたペンと、該ペンの位置座標データとして、ペンより発信された超音波信号を連続的に受け取り、手書き筆跡データとして認識する受信装置からなる手書き筆跡入力装置であって、前記受信装置を画板上に配置し、この画板の天地両方に用紙幅に合致したスリットを設け、複数枚に綴られた前記ノート用紙の位置決めが行なえることを特徴とする手書き筆跡入力装置。
【請求項２】
前記受信装置を配置した前記画板は、保護カバーに対して左右に方向を変えて固定可能であることを特徴とする請求項１記載の手書き筆跡入力装置。
【発明の詳細な説明】
【技術分野】
【０００１】
本発明は、超音波発信器を備えた筆記可能なペンと、該筆記具により発せられる超音波を該ペンの位置座標データとして受け取る受信装置からなる手書き筆跡入力装置に関する。
【背景技術】
【０００２】
従来、超音波を発信する発信器を備えたペンと、ペンから発信される超音波信号を受信する複数の受信器を組み込んだ受信装置を有する手書き筆跡入力装置が開発されている。この手書き筆跡入力装置は、用紙がセットされる画板を備えており、用紙上にペンで筆記すると受信装置がペンから発信された超音波信号を複数の受信器により受信し、ペン先の位置座標データを検出する。前記位置座標データを連続的に検出することにより、書いた文字や図形等を手書き筆跡データとして認識する。
また用紙を固定するために、複数個の用紙押さえを画板の裏と表両方に設置できる様にし、サイズの異なる複数種類の用紙であっても同じ画板を使用可能としていたものが知られている。
【特許文献１】特開２０００−２９８５４７号。
【発明の開示】
【発明が解決しようとする課題】
【０００３】
しかしながら上記従来の手書き筆跡入力装置においては、発信器と受信器の間に超音波を遮る障害物となるペンを把持した使用者の手が入ると、発信器から発せられた超音波信号が遮られ、受信装置は位置座標データを検出できなくなるので、ペンを持つ手が右手の人の場合と左手の人の場合とで受信装置の位置を付け替えなくてはならないという課題があった。
また、画板に据え付けられた用紙を押さえる用紙押さえを複数箇所設けているが、ペンを持つ手が右手の人の場合と左手の人の場合とで、取り付け位置を変えなければならない上に、画板に用紙を押さえつける力が不十分であり、画板に備え付けられた用紙が筆記中にずれて受信装置と用紙の距離が変化することによって、ペンの位置座標データの誤差となり、認識した筆跡データが実際にペンで用紙上に筆記した文字や図形と比較して誤差が大きくなるという課題があった。更に、セットした用紙の用紙押さえ周辺には文字の筆記が出来ない上に、複数枚に綴られたノート用紙等に頁を替えながら筆記するには、頁を変える毎に用紙押さえの留め具を前記用紙から外し、再びセットする作業の繰り返しが必要になり、連続的に筆記作業ができないといった課題があった。
【課題を解決するための手段】
【０００４】
保護カバーと、ノート用紙と超音波発信器を備えたペンと、該ペンの位置座標データとして該ペンより発信された超音波信号を連続的に受け取り、手書き筆跡データとして認識する受信装置からなる手書き筆跡入力装置であって、前記受信装置を画板上に配置し、この画板の天地両方に用紙幅に合致したスリットを設け、複数枚に綴られた前記ノート用紙の位置決めが行なえる手書き筆跡入力装置を第１の要旨とし、前記受信装置を配置した前記画板が保護カバーに対して左右に方向を変えて固定可能である手書き筆跡入力装置を第２の要旨とするものである。
【発明の効果】
【０００５】
本発明では、受信装置や用紙押さえの画板への取り付け位置を変えることなく、右手で書くときには受信装置を左側に、左手で書くときには右側に配置し、一つの装置で利き手によって大きな変更をすることなく使用することができる。また、右利き用、左利き用のそれぞれの利き手にあった受信装置や画板を用意する必要が無い。
更に、本発明の画板に、用紙サイズの横方向の長さに合致したスリットと、用紙の載置位置にくぼみを設けることにより、筆記中に用紙位置がずれてしまい、認識した筆跡データが実際にペンで用紙上に筆記した文字や図形と比較して誤差が大きくなるという課題も克服することが可能である上に、セットした用紙の全面に筆記できる。また、本発明では、複数枚に綴られたノート用紙等を使用し、頁を替えながら連続的に筆記作業ができる。
【発明を実施するための最良の形態】
【０００６】
持ち運び可能な保護カバーに、超音波を発するペンと前記超音波を発するペンから発せられた超音波を受信する複数の受信器を組み込んだ受信装置と用紙の位置決めを行うためのスリットを設けた画板を設置したものであり、利き手が左利きの使用者が使用する場合には、前記受信装置が右側に、また、利き手が右利きの使用者が使用する場合には、前記受信装置が左側に位置するように、前記画板は受信機と共に保護カバーから取り外し自在となる形態のものである。
【実施例】
【０００７】
本発明の詳細を図面を参照して説明する。図１は本発明の手書き筆跡入力装置を示す図である。本発明の手書き筆跡入力装置は、保護カバー１と画板２とペン３から構成されている。画板２は可撓性を有すると共に、下敷きとして使用することが可能な強度を有する材料で構成されている。ペン３のペン先端部５には超音波を発信する発信器（図示せず）が内蔵され、ペン先４を押しつけることによりペン先端部５から超音波信号が発信される。参照符号６は受信装置である。受信装置６は内蔵した複数の受信器（図示せず）により前記超音波信号を受信することにより、ペン先４の位置を検出する。更に、受信装置６は画板２から取り外し、受信装置６に設けられたクリップにより任意のサイズの用紙を差し込んで使用することが出来る。
【０００８】
画板２の上部と下部には、スリット７Ａ、７Ｂが設けられている。スリット７Ａ、７Ｂは画板２に載置するノート用紙８のサイズ（例えばａ４サイズ）の用紙幅に合わせた長さに形成され、ノート用紙８の裏表紙に設けられた厚紙を差し込み挿入することにより、画板２にノート用紙８を固定することが出来ると同時に、位置決めを行うこともできる。
参照符号９は、くぼみであり画板２の他の部分に比べると１段低くなっている。ノート用紙８を載置する際、このくぼみ９が設けられていることにより確実に位置決めを行うことができる。本発明では、画板２に載置される媒体の一例としてノート用紙の例を開示したが、画板２に伝票を複数枚に綴った帳票類などを載置するために、スリット７ａ、７ｂを載置する帳票類の巾方向の長さに合わせて形成してもよい。
【０００９】
図２は右手で筆記する場合の取り付け状態を示す斜視図である。面ファスナー１０（図１、図３参照）が、保護カバー１と画板２の相対する位置に設けられている。受信装置６の左右方向を変更する場合に該面ファスナー１０により画板２ごと着脱する。本発明では、保護カバー１と画板２の係止手段として面ファスナーを使用した手段を一例として開示したが、係止手段としてはこの方法のみに限定されるものではなく保護カバー１側に雄型を形成しておき、画板２側の前記雄型と相対する位置に雌型を形成して保護カバー１と画板２を係止させるというような様々な方法が採用できる。
【００１０】
参照符号１１はスライドファスナーであり、保護カバー１を２つ折りにして収納する場合に使用するものである。
【００１１】
実際の使用の仕方について使用者（図示せず）が右利きの場合の例について図２を参照して説明する。使用者は、画板２にノート用紙８をセットする。ノート用紙８の裏表紙に設けられている厚紙をスリット７Ａに差込み、ノート用紙８の位置きめを行なう。上述したように保護カバー１と画板２には面ファスナーが相対する位置に取り付けられており、面ファスナー１０を介して画板２をカバー１に取り付けることが出来る。使用者が右利きの場合、図示するように受信装置５は左側に配置することとなる。
使用者が、ノート用紙８に文字や図形等を筆記する際、ペン３のペン先４をノート用紙８に押し付け、筆記するとペン先端部から超音波信号が発信される。受信装置６は内蔵された複数の受信器（図示せず）によりペン先端部から発信された超音波信号を受信することでペン先４の位置座標データとして検出する。前記位置座標データを連続的に受け取ることで、使用者の書いた文字や図形等の手書き筆跡データとして認識する。受信装置６は内部に記憶装置を設けており、受信した手書き筆跡データは、前記記憶装置に一時的に格納される。
また、使用者の用途により受信装置６とパーソナルコンピュータ（図示せず）を接続することにより、受信装置６に内蔵された記憶装置に手書き筆跡データを格納することなく、前記パーソナルコンピュータのディスプレイ装置（図示せず）に直接手書き筆跡データを表示することが可能である。
【００１２】
次に同じ装置を左利きの使用者が使用する場合について図３を参照して説明する。図３は左手で筆記する場合の取り付け状態を示す斜視図である。先ず、画板２を保護カバー１から取り外す。続いてノート用紙８を画板２から取り外す。画板２を受信器６ごと上下方向に１８０度回転させ、ノート用紙８の裏表紙に設けられた厚紙をスリット７ｂに挿入して、ノート用紙８の位置決めを行なう。再び画板２を保護カバー１に取り付ける。上述したように保護カバー１側と画板２側には面ファスナー１０が相対する位置に取り付けられており、面ファスナー１０を介して画板２を保護カバー１に取り付けることが出来る。この時点で受信装置６が向かって右側に位置することとなる。この位置関係により左利きの使用者の場合には、使用するペン３のペン先端部５と受信装置６の間にペン３を把持した手などの障害物が存在することがないので、受信装置６はペン先端部５から発せられる超音波信号を遮断されることなく受信することができる。この状態で使用者（図示せず）が左利きの場合でも対応することが出来る。
【００１３】
本発明では、画板２を保護カバー１に取り付けた形態を開示したが、画板２に設けられたスリット７Ａないしスリット７Ｂにノート用紙８の裏表紙を挿入するのみでノート用紙８を十分保持することと、位置決めを行うことが可能であり、保護カバー１を除いた形態を採用することも出来る。
【図面の簡単な説明】
【００１４】
【図１】本実施例の使用者が右利きの場合の斜視図。
【図２】本実施例の使用状態図。
【図３】本実施例の使用者が左利きの場合の斜視図。
【符号の説明】
【００１５】
１    保護カバー
２    画板
３    ペン
４    ペン先
５    ペン先端部
６    受信装置
７    スリット
８    ノート用紙
９    くぼみ
１０  面ファスナー
１１  スライドファスナー
【図１】
2005215806.tif 000003
【図２】
2005215806.tif 000004
【図３】
2005215806.tif 000005